(57)【特許請求の範囲】
【請求項１】
柄体を構成する一対の側板と、両側板間に位置し、柄体の一端に設けられた回動支持軸に開閉回動可能に支持されている２枚の刃体とから構成され、
刃体間及び刃体と一方の側板との間にはロック板がそれぞれ設けられ、各ロック板の一端側には、常には他方の側板の方向に付勢されるとともに、刃体が使用位置まで回動されたときには、刃体に係合することにより刃体の回動を規制し、刃体から離間されることにより刃体の回動の規制が解除されるロック部がそれぞれ設けられていることを特徴とする折り畳みナイフ。
【請求項２】
前記各ロック部はロック板の同じ位置にそれぞれ設けられ、他方の側板並びに他方の側板側の刃体及びロック板には、ロック部に対応する位置に、操作凹部がそれぞれ設けられている請求項１に記載の折り畳みナイフ。
【請求項３】
前記他方の側板側の刃体には、他方の側板の操作凹部に対応する位置に回動操作凸部が設けられ、一方の側板側の刃体には、他方の側板側の刃体及びロック板の操作凹部に対応する位置に、回動操作凹部が設けられている請求項２に記載の折り畳みナイフ。
【発明の詳細な説明】
【０００１】
【発明の属する技術分野】
本発明は、刃体の開閉操作及び変更操作を片手で容易に行うことができる折り畳みナイフに関するものである。
【０００２】
【従来の技術】
従来、この種の折り畳みナイフ（以下、単にナイフともいう）は、柄体を構成する一対の側板の両端部に回動支持軸がそれぞれ挿通支持されている。これら回動支持軸には、用途の異なる刃体が開閉回動可能にそれぞれ軸着されている。各刃体は、ナイフに設けられたロック機構により、開いた状態でそれらの回動が規制されるようにそれぞれ構成されている。
【０００３】
このナイフを使用するときには、ナイフを一方の手で把持し、他方の手を使用して刃体を開く。このとき、刃体はロック機構により開いた状態で回動が規制される。続いて、ナイフの使用を終了するときには、刃体の回動の規制を解除した後にナイフを一方の手で把持し、他方の手を使用して刃体を閉じる。さらに、使用する刃体を変更するときには、ナイフを把持し直した後に前述と同様に新たに使用する刃体を開くようになっている。
【０００４】
【発明が解決しようとする課題】
ところが、この従来のナイフにおいては、刃体の開閉回動は、ナイフを一方の手で把持した状態で他方の手を使用して行うようになっている。このため、刃体の開閉操作を行うときには両手を使用する必要があり、刃体の開閉操作が煩雑になるという問題があった。さらに、使用する刃体を変更するときには、ナイフを把持し直す必要がある。ナイフを把持し直す操作を片手のみで行うときには、ナイフを落としてしまう場合がある。よって、ナイフを把持し直す操作を確実に行うためには両手を使用する必要があり、刃体の変更操作が煩雑になるという問題があった。
【０００５】
本発明は、上記のような従来技術に存在する問題点に着目してなされたものである。その目的とするところは、刃体の開閉操作及び変更操作を片手で容易に行うことができる折り畳みナイフを提供することにある。
【０００６】
【課題を解決するための手段】
上記の目的を達成するために、請求項１に記載の発明の折り畳みナイフは、柄体を構成する一対の側板と、両側板間に位置し、柄体の一端に設けられた回動支持軸に開閉回動可能に支持されている２枚の刃体とから構成され、刃体間及び刃体と一方の側板との間にはロック板がそれぞれ設けられ、各ロック板の一端側には、常には他方の側板の方向に付勢されるとともに、刃体が使用位置まで回動されたときには、刃体に係合することにより刃体の回動を規制し、刃体から離間されることにより刃体の回動の規制が解除されるロック部がそれぞれ設けられているものである。
【０００７】
請求項２に記載の発明の折り畳みナイフは、請求項１に記載の発明において、前記各ロック部はロック板の同じ位置にそれぞれ設けられ、他方の側板並びに他方の側板側の刃体及びロック板には、ロック部に対応する位置に、操作凹部がそれぞれ設けられているものである。
【０００８】
請求項３に記載の発明の折り畳みナイフは、請求項２に記載の発明において、前記他方の側板側の刃体には、他方の側板の操作凹部に対応する位置に回動操作凸部が設けられ、一方の側板側の刃体には、他方の側板側の刃体及びロック板の操作凹部に対応する位置に、回動操作凹部が設けられているものである。
【０００９】
【発明の実施の形態】
以下、本発明を具体化した実施形態を図面に基づいて詳細に説明する。
図１に示すように、折り畳みナイフ１１の柄体１２は、側板としての木製の細長板状をなす第１及び第２側板１３，１４から構成されている。各側板１３，１４の前端部には、円柱状の回動支持軸１５が挿通される円孔状の第１貫通孔１６がそれぞれ貫通形成されている。
【００１０】
各側板１３，１４の前方並びに中央及び後方の上端部と、後端部とには、円孔状の第２貫通孔１７がそれぞれ貫通形成されている。第１側板１３の前方下端部には、操作凹部としての側面略円弧状をなすとともに、下方に向かって開口する第１操作凹所１８が凹設されている。
【００１１】
各側板１３，１４の間には、ロック板としての第１及び第２ロック板１９，２０がそれぞれ内装されている。これらロック板１９，２０は、ステンレス鋼等の金属材料により各側板１３，１４とほぼ同じ形状に形成されている。各ロック板１９，２０は、第１又は第２ロック板本体２１，２２と、各ロック板本体２１，２２の一部が横Ｌ字状に切断されてそれぞれ形成されているロック部としての第１又は第２ロック片２３，２４とからそれぞれ構成されている。
【００１２】
各ロック片２３，２４は、第１側板１３の方向にそれぞれ撓曲されている。このため、各ロック片２３，２４は常に第１側板１３の方向に付勢され、板ばねとして作用するように構成されている。さらに、図１及び図３に示すように、第１ロック片２３の下端部には、操作凹部としての側面略円弧状をなすとともに下方に向かって開口する第２操作凹所２５が凹設されている。
【００１３】
図１に示すように、各ロック板本体２１，２２には、各側板１３，１４の第１及び第２貫通孔１６，１７に対応する位置に、円孔状の第３及び第４貫通孔２６，２７がそれぞれ貫通形成されている。そして、第１及び第３貫通孔１６，２６に回動支持軸１５が挿通されるとともに、第２及び第４貫通孔１７，２７に円柱状の軸ピン２８がそれぞれ挿通されることにより、各側板１３，１４は各ロック板１９，２０を内装した状態で締結されるようになっている。
【００１４】
図１及び図４（ａ）に示すように、第１側板１３と第１ロック板１９との間及び第１ロック板１９と第２ロック板２０との間には、後述する刃体としての第１又は第２刃体２９，３０がそれぞれ介装されるようになっている。
【００１５】
図１に示すように、各刃体２９，３０は、ステンレス鋼等の金属材料により細長板状に形成されている。各刃体２９，３０の基端部には、第１及び第３貫通孔１６，２６に対応する位置に、円孔状の第５貫通孔３１がそれぞれ貫通形成されている。
【００１６】
そして、第５貫通孔３１に回動支持軸１５が挿通され、この回動支持軸１５を中心にして、各刃体２９，３０は図２に示す収納位置から図１に示す使用位置までほぼ１８０度の範囲で開閉回動可能に柄体１２に軸着されている。尚、図１と図２とでは各刃体２９，３０の上下方向が逆になるために、以下の各刃体２９，３０の説明における上下は図１における上下を基準にする。
【００１７】
第１刃体２９の下部には、その中央から先端にわたって刃部３２が形成されている。また、第１刃体２９の上部には、操作凹部としての側面略円弧状をなすとともに上方に向かって開口する第３操作凹所３３が凹設されている。
【００１８】
図２及び図３に示すように、第１側板１３、第１刃体２９及び第１ロック片２３の各操作凹所１８，３３，２５は、各ロック片２３，２４に対応する位置に凹設されている。さらに、図１及び図３に示すように、第２操作凹所２５の最深部は、第１操作凹所１８の最深部よりも下方に位置するように構成されている。一方、図７及び図８に示すように、第３操作凹所３３の最深部は、第１刃体２９が柄体１２内に収納されたときには、第１ロック板１９の第２操作凹所２５の最深部とほぼ同じ位置になるように構成されている。
【００１９】
図１及び図３に示すように、第１刃体２９の上部には、第３操作凹所３３よりも基端側及び第１側板１３の第１操作凹所１８に対応する位置に、回動操作凸部としての円柱状をなす回動操作突起３４が取付けられている。この回動操作突起３４はステンレス鋼等の金属材料により形成され、その先端が第１側板１３の方向に向かうように構成されている。さらに、回動操作突起３４の周面には、ローレット加工により凹凸状の滑動抑制部３５が形成されている。
【００２０】
第１刃体２９の基端縁の上部には、側面略円弧状をなすとともに端縁に向かって開口する第１回動規制凹所３６が凹設されている。さらに、第１刃体２９の基端縁の下部には、側面略長方形状をなすとともに端縁及び下方に向かって開口する第２回動規制凹所３７が凹設されている。
【００２１】
図４（ａ）及び図４（ｂ）に示すように、第２回動規制凹所３７の側面は、第２側板１４に向かうに従い第１刃体２９の先端方向へ傾斜する傾斜状に形成されている。また、図１及び図３に示すように、第１刃体２９の下部には、刃部３２よりも基端側に、側面略円弧状をなすとともに下方に向かって開口する第３回動規制凹所３８が凹設されている。
【００２２】
図１に示すように、第２刃体３０の下部には、その中央から先端にわたってロープ等を切断するための鋸歯状の刃部３２が形成されている。また、第２刃体３０の上部には、第１刃体２９及び第１ロック片２３の各操作凹所３３，２５に対応する位置に、回動操作凹部としての側面略楕円孔状をなす回動操作孔３９が貫通形成されている。
【００２３】
第２刃体３０の基端縁には、第１刃体２９と同様に第１及び第２回動規制凹所３６，３７が凹設されるとともに、第２刃体の下部には、第３回動規制凹所３８が凹設されている。
【００２４】
次に、上記のように構成されたナイフ１１の作用を説明する。
さて、第１刃体２９を使用するときには、図５に示すように、ナイフ１１を右手で把持する。次に、右手の親指の先端部で第１刃体２９の回動操作突起３４を前方へ押圧することにより、第１刃体２９は図５の矢視線で示すように使用位置まで回動されて開く。
【００２５】
このとき、図３に示すように、第１刃体２９の第１回動規制凹所３６が軸ピン２８に係合するために、第１刃体２９の上方への回動は規制される。さらに、図３及び図４（ａ）に示すように、第１ロック片２３の前端部が第２回動規制凹所３７の上面及び側面に係合するために、第１刃体２９の下方への回動は規制される。よって、第１刃体２９は使用位置で固定される。
【００２６】
続いて、第１刃体２９の使用を終了する又は第１刃体２９から第２刃体３０へと使用する刃体を変更するときには、図６に示すように、ナイフ１１を右手で把持した状態で、右手の親指の先端部により第１ロック片２３を付勢力に抗して第２側板１４の方向に押圧する。このとき、図４（ｂ）に示すように、第２回動規制凹所３７の上面及び側面と第１ロック片２３の前端部との係合は解除される。
【００２７】
そして、第１ロック片２３を押圧した状態で、右手の人差し指等の親指以外の指によって第１刃体２９を下方へ押圧することにより、第１刃体２９は図６の矢視線で示すように収納位置まで回動されて閉じる。このとき、図２に示すように、第１刃体２９の第３回動規制凹所３８が軸ピン２８に係合するために、第１刃体２９の上方への回動は規制される。
【００２８】
次に、第２刃体３０を使用するときには、図７に示すように、ナイフ１１を右手で把持した状態で、右手の親指の先端部を第２刃体３０の回動操作孔３９に掛ける。そして、第２刃体３０を前方へ押圧することにより、第２刃体３０は図７の矢視線で示すように使用位置まで回動されて開く。このとき、第２刃体３０は、前述の第１刃体２９と同様に使用位置で固定される。
【００２９】
続いて、第２刃体３０の使用を終了する又は第２刃体３０から第１刃体２９へと使用する刃体を変更するときには、図８に示すように、ナイフ１１を右手で把持した状態で、右手の親指の先端部によって第２ロック片２４を付勢力に抗して第２側板１４の方向に押圧する。そして、第２ロック片２４を押圧した状態で第２刃体３０を下方へ押圧することにより、第２刃体３０は図８の矢視線で示すように収納位置まで回動されて閉じる。このとき、第２刃体３０は、前述の第１刃体２９と同様に上方への回動は規制される。
【００３０】
以上詳述した本実施形態によれば、次のような効果が発揮される。
・  本実施形態の折り畳みナイフ１１によれば、各ロック片２３，２４は常に第１側板１３の方向に付勢されている。このため、各刃体２９，３０を使用位置まで回動させると、自動的に各ロック片２３，２４の前端部と第２回動規制凹所３７の上面及び側面とが係合し、各刃体２９，３０の下方への回動が規制される。さらに、ナイフ１１を右手で把持した状態において、右手の親指の先端部で各ロック片２３，２４を第２側板１４の方向に押圧するだけで、各ロック片２３，２４の前端部と第２回動規制凹所３７の上面及び側面との係合が解除され、各刃体２９，３０の下方への回動の規制が解除される。よって、各刃体２９，３０の開閉操作を右手、すなわち片手で容易に行うことができる。
【００３１】
・  本実施形態の折り畳みナイフ１１によれば、各刃体２９，３０は回動支持軸１５により柄体１２に軸着されている。このため、刃体の変更操作を行うときに、ナイフ１１を把持し直す必要が無い。よって、刃体の変更操作を片手で容易に行うことができる。
【００３２】
・  本実施形態の折り畳みナイフ１１によれば、第１側板１３、第１刃体２９及び第１ロック片２３の各操作凹所１８，３３，２５は、各ロック片２３，２４に対応する位置に凹設されている。このため、第１刃体２９を開くときには、回動操作突起３４を容易に押圧することができる。一方、第２刃体３０を開くときには、回動操作孔３９に親指の先端部を容易に掛けることができる。さらに、各刃体２９，３０を閉じるときには、親指の先端部で各ロック片２３，２４を容易に押圧することができる。よって、各刃体２９，３０の開閉操作を右手、すなわち片手でより容易に行うことができる。
【００３３】
・  本実施形態の折り畳みナイフ１１によれば、第１刃体２９には、第１側板１３の第１操作凹所１８に対応する位置に回動操作突起３４が取付けられ、その先端は第１側板１３の方向に向かうように構成されている。また、第２刃体３０には、第１刃体２９及び第１ロック片２３の各操作凹所３３，２５に対応する位置に回動操作孔３９が貫通形成されている。このため、各刃体２９，３０を開くときには、各刃体２９，３０を容易に回動させることができる。よって、各刃体２９，３０を開く操作を右手、すなわち片手でさらに容易に行うことができる。
【００３４】
・  本実施形態の折り畳みナイフ１１によれば、各刃体２９，３０の第２回動規制凹所３７の側面は、第２側板１４に向かうに従い各刃体２９，３０の先端方向へ傾斜する傾斜状にそれぞれ形成されている。このため、第２回動規制凹所３７の側面と各ロック片２３，２４の前端部とを容易に係合することができるとともに、この係合を容易に解除することができる。
【００３５】
・  本実施形態の折り畳みナイフ１１によれば、各刃体２９，３０の基端縁の上部には第１回動規制凹所３６が凹設されるとともに、各刃体２９，３０の下部には第３回動規制凹所３８が凹設されている。このため、各刃体２９，３０が使用位置まで回動されたときには、各刃体２９，３０の第１回動規制凹所３６が軸ピン２８に係合することにより、各刃体２９，３０の上方への回動を規制することができる。また、各刃体２９，３０が収納位置まで回動されたときには、各刃体２９，３０の第３回動規制凹所３８が軸ピン２８に係合することにより、各刃体２９，３０の上方への回動を規制することができる。
【００３６】
・  本実施形態の折り畳みナイフ１１によれば、第１ロック板本体２１及び第１ロック片２３と第２ロック板本体２２及び第２ロック片２４とは、それぞれ一体に形成されている。このため、各ロック片２３，２４の製造が容易であり、ナイフ１１の製造コストを節約することができる。
【００３７】
・  本実施形態の折り畳みナイフ１１によれば、回動操作突起３４の周面には凹凸状の滑動抑制部３５が形成されている。このため、右手の親指の先端部で回動操作突起３４を前方へ押圧するときには、親指の先端部が滑動して回動操作突起３４から離間するのを抑制することができる。
【００３８】
なお、前記実施形態を次のように変更して構成することもできる。
・  前記回動操作孔３９を第１側板１３の方向に開口する回動操作凹所に変更してもよい。
【００３９】
・  前記刃体２９，３０の開閉操作及び変更操作を左手で行うことができるように構成してもよい。すなわち、ナイフ１１を本実施形態のナイフ１１に対して鏡像となるように構成してもよい。このように構成した場合は、刃体２９，３０の開閉操作及び変更操作を左手で容易に行うことができる。
【００４０】
次に、前記実施形態から把握できる技術的思想について以下に記載する。
（１）前記回動操作凸部は、その先端部が他方の側板の方向に向かうように構成され、一方の側板側の刃体には、回動操作凹部としての回動操作孔が貫通形成されている請求項３に記載の折り畳みナイフ。この構成によれば、刃体を開く操作を片手でより容易に行うことができる。
【００４１】
（２）前記他方の側板側のロック板及び刃体に設けられた操作凹部は、他方の側板に設けられた操作凹部よりも小さくなるように設定されている請求項２、請求項３及び上記（１）のいずれか一項に記載の折り畳みナイフ。この構成によれば、一方の側板側の刃体の開閉操作を片手でより容易に行うことができる。
【００４２】
（３）前記側板間には回動規制部が架設され、各刃体には、使用位置まで回動されたときには、回動規制部に係合することにより刃体の回動を規制する回動規制凹部がそれぞれ設けられている請求項１から請求項３並びに上記（１）及び上記（２）のいずれか一項に記載の折り畳みナイフ。この構成によれば、刃体を使用位置で容易に保持することができるとともに、刃体の使用位置での保持を容易に解除することができる。
【００４３】
【発明の効果】
本発明は、以上のように構成されているため、次のような効果を奏する。
請求項１に記載の発明の折り畳みナイフによれば、刃体の開閉操作及び変更操作を片手で容易に行うことができる。
【００４４】
請求項２に記載の発明の折り畳みナイフによれば、請求項１に記載の発明の効果に加え、刃体の開閉操作を片手でより容易に行うことができる。
請求項３に記載の発明の折り畳みナイフによれば、請求項２に記載の発明の効果に加え、刃体を開く操作を片手でさらに容易に行うことができる。
【図面の簡単な説明】
【図１】  本実施形態の折り畳みナイフを示す分解斜視図。
【図２】  折り畳みナイフを示す側面図。
【図３】  第１刃体が使用位置まで回動された状態を示す要部拡大断面図。
【図４】  （ａ）は第１刃体が使用位置まで回動された状態を示す要部拡大底面図、（ｂ）は第１ロック片が押圧された状態を示す要部拡大底面図。
【図５】  第１刃体を開く途中の状態を示す斜視図。
【図６】  第１刃体を閉じる途中の状態を示す斜視図。
【図７】  第２刃体を開く途中の状態を示す斜視図。
【図８】  第２刃体を閉じる途中の状態を示す斜視図。
【符号の説明】
１１…折り畳みナイフ、１２…柄体、１３…側板としての第１側板、１４…側板としての第２側板、１５…回動支持軸、１８…操作凹部としての第１操作凹所、１９…ロック板としての第１ロック板、２０…ロック板としての第２ロック板、２３…ロック部としての第１ロック片、２４…ロック部としての第２ロック片、２５…操作凹部としての第２操作凹所、２９…刃体としての第１刃体、３０…刃体としての第２刃体、３３…操作凹部としての第３操作凹所、３４…回動操作凸部としての回動操作突起、３９…回動操作凹部としての回動操作孔。
【図１】
0003847612.tif 000002
【図２】
0003847612.tif 000003
【図３】
0003847612.tif 000004
【図４】
0003847612.tif 000005
【図５】
0003847612.tif 000006
【図６】
0003847612.tif 000007
【図７】
0003847612.tif 000008
【図８】
0003847612.tif 000009